(57)【特許請求の範囲】
【請求項１】
設置面上に左右方向に間隔をあけて各々配置され、下部左右両端のそれぞれに前後一対の脚部が設けられた対象物の該前後一対の脚部を固定支持して該対象物の転倒を防止する転倒防止装置であって、
上記前後一対の脚部の前脚部を固定支持する前脚部支持プレートと、該前脚部支持プレートの後端部に連結され、上記前後一対の脚部の後脚部を固定支持する後脚部支持プレートとを備え、
上記前脚部支持プレートは、上記後脚部支持プレートよりも左右方向に幅狭に形成されると共に、左右方向に移動可能に構成され、かつ該前脚部を位置決めする前脚部位置決め手段が設けられ、
上記後脚部支持プレートには、上記後脚部を位置決めする後脚部位置決め手段が左右方向に移動可能に設けられていることを特徴とする転倒防止装置。
【請求項２】
請求項１に記載の転倒防止装置において、
上記前脚部支持プレートと上記後脚部支持プレートとは連結部材を介して連結され、該連結部材の該後脚部支持プレートに対する該前脚部支持プレートの取付位置を変更することにより、上記転倒防止装置の前後の長さが調整されることを特徴とする転倒防止装置。
【請求項３】
請求項１又は２に記載の転倒防止装置において、
上記前脚部支持プレートは、左右両端から上方に立ち上がる一対の前側縦壁部を有し、
上記前脚部位置決め手段は、
上記一対の前側縦壁部に前後方向に延びるようにそれぞれ形成された一対の前側長孔部と、
左右方向に延びて両端部が上記一対の前側長孔部にそれぞれ挿入され、前後方向に移動可能に橋絡された前側シャフトと、
上記前側シャフトに固定され、上記前脚部を収容保持する前脚部保持枠部材と、
上記前側長孔部の後端寄りの上記前側縦壁部に一端が固定され、前後方向に延びて前端側に上記前側シャフトの上記端部が挿入された長孔が形成された前側弾性部材とを有し、
上記後脚部支持プレートは、左右両端から上方に立ち上がる一対の後側縦壁部を有し、
上記後脚部位置決め手段は、
上記一対の後側縦壁部において前後方向に延びるようにそれぞれ形成された一対の後側長孔部と、
左右方向に延びて両端部が上記一対の後側長孔部にそれぞれ挿入され、前後方向に移動可能に橋絡された後側シャフトと、
上記後側シャフトに左右移動可能に設けられ、上記後脚部を収容保持する後脚部保持枠部材と、
上記後側長孔部の前端寄りの上記後側縦壁部に一端が固定され、前後方向に延びて後端側に上記後側シャフトの端部が挿入された長孔が形成された後側弾性部材とを有することを特徴とする転倒防止装置。
【請求項４】
請求項３に記載の転倒防止装置において、
上記前側シャフトは、その上下寸法が上記前側長孔部の上下幅よりも小さく、
上記後側シャフトは、その上下寸法が上記後側長孔部の上下幅よりも小さいことを特徴とする転倒防止装置。
【請求項５】
請求項３又は４に記載の転倒防止装置において、
上記前脚部保持枠部材は、平面視で前側に開放したコ字状をなしており、前後方向に延びて左右方向に互いに対向し、かつ上記前側シャフトが貫通する一対の前側対向板部と、該一対の前側対向板部の後端同士を連結する前側連結板部とを有し、上記前脚部が収容された状態で該前脚部の移動を規制する前側規制シャフトが着脱可能に設けられ、
上記後脚部保持枠部材は、平面視で前側に開放したコ字状をなしており、前後方向に延びて左右方向に互いに対向し、かつ上記後側シャフトが貫通する一対の後側対向板部と、該一対の後側対向板部の後端同士を連結する後側連結板部とを有し、上記後脚部が収容された状態で該後脚部の移動を規制する後側規制シャフトが着脱可能に設けられていることを特徴とする転倒防止装置。
【発明の詳細な説明】
【技術分野】
【０００１】
本発明は、下部左右両端のそれぞれに前後一対の脚部が設けられた対象物を固定支持し、当該対象物が地震等で転倒するのを防止する転倒防止装置に関し、特に、アップライトピアノのように前後一対の脚部が左右に互いにずれている対象物の転倒を防止する転倒防止装置に関する。
【背景技術】
【０００２】
従来より、アップライトピアノのように下部左右両端のそれぞれに前後一対の脚部が設けられた対象物の振動や転倒を防止するためにさまざまな装置が開発されている。
【０００３】
特許文献１には、アップライトピアノの下部にキャスタベースを介してキャスタ（脚部）を設け、このキャスタが床面上に配置された敷板上に乗り入れ、該敷板と上記キャスタベースとに前後２本の引張コイルばねを掛け渡してピアノ前部を後方に、ピアノ後部を前方にそれぞれ引っ張ることにより、地震等によるピアノの揺動を吸収緩和する装置が開示されている。
【０００４】
特許文献２には、所定方向に延びるレールと、床面に設置され、該レールを当該所定方向に移動可能に保持するベースと、該レールに取り付けられる２つのストッパとを備え、下部に前後一対のキャスタを備えた複写機等の対象物がレール上を当該所定方向に移動すると、キャスタがストッパに接触してレールが移動し、レールとベースとの間に生じる摩擦によって対象物の移動を抑える装置が開示されている。
【０００５】
特許文献３には、アップライトピアノの転倒防止装置が開示されている。アップライトピアノは、弦やアクション、ハンマーレール等が格納された直方体状のピアノ本体と、ピアノ本体前面の下端部左右両端から前方に突設された一対の妻土台とを備え、ピアノ本体下面の背面側左右両端部及び妻土台下面の前端部にそれぞれキャスタが設けられている。上記転倒防止装置は、アップライトピアノの下部左右両端にそれぞれ配置される一対の敷板と、敷板とキャスタ基部との間に介挿されたキャスタ止金具とを備え、各敷板には前後一対のキャスタを受容可能なキャスタ穴が開設されている。そうして、キャスタ止金具が装着された各キャスタがキャスタ穴に落とし込まれ、キャスタ止金具が敷板に固定されることで、アップライトピアノが敷板上に固定される。
【先行技術文献】
【特許文献】
【０００６】
【特許文献１】実開昭５６−９２５３８号公報（第４頁、第２図及び第３図）
【特許文献２】特開２００９−１６２３７９号公報（第１２〜１４頁、図１）
【特許文献３】特開平１１−１０９９４９号公報（第３頁、図２）
【発明の概要】
【発明が解決しようとする課題】
【０００７】
ところで、アップライトピアノの前後一対のキャスタは、通常左右に互いにずれている。このようなアップライトピアノを特許文献１，２の装置で固定支持する場合、１枚の敷板や１本のレールで前後一対のキャスタを支持するため幅を大きくする必要がある。しかしながら、そうすると、敷板やレールの前端部が妻戸台に隠れずに露出してしまい、見栄えが悪くなる。また、アップライトピアノの使用者等がつまづいてケガをする虞がある。
【０００８】
一方、特許文献３の転倒防止装置では、互いに形状の異なる２枚の敷板、すなわち、左側の前後一対のキャスタに対応する位置にキャスタ穴が設けられた敷板および右側の前後一対のキャスタに対応する位置にキャスタ穴が設けられた敷板を用意しなければならないため、コストが嵩む。
【０００９】
本発明は、かかる点に鑑みてなされたものであり、その目的とするところは、対象物を固定支持した状態で見栄えが良くかつ安全であり、しかも対象物の左右両側で共用可能な転倒防止装置を提供することにある。
【課題を解決するための手段】
【００１０】
上記の目的を達成するために、本発明は、前脚部を固定支持する前脚部支持プレートと後脚部を固定支持する後脚部支持プレートとを備えた転倒防止装置であって、前脚部支持プレートの構造を工夫したものである。
【００１１】
具体的には、本発明は、設置面上に左右方向に間隔をあけて各々配置され、下部左右両端のそれぞれに前後一対の脚部が設けられた対象物の該前後一対の脚部を固定支持して該対象物の転倒を防止する転倒防止装置を対象とし、次のような解決手段を講じた。
【００１２】
第１の発明は、上記前後一対の脚部の前脚部を固定支持する前脚部支持プレートと、該前脚部支持プレートの後端部に連結され、上記前後一対の脚部の後脚部を固定支持する後脚部支持プレートとを備え、上記前脚部支持プレートは、上記後脚部支持プレートよりも左右方向に幅狭に形成されると共に、左右方向に移動可能に構成され、かつ該前脚部を位置決めする前脚部位置決め手段が設けられ、上記後脚部支持プレートには、上記後脚部を位置決めする後脚部位置決め手段が左右方向に移動可能に設けられていることを特徴とするものである。
【００１３】
第１の発明によれば、前脚部支持プレートが後脚部支持プレートよりも幅狭であるため、例えばアップライトピアノを固定支持する場合、前脚部支持プレートを妻土台と略同一幅か幅狭にすることにより、前脚部支持プレートを妻土台で隠すことができる。したがって、見栄えが向上し、足下を安全にすることができる。さらに、前脚部支持プレートが左右移動可能であると共に、後脚部位置決め手段が左右移動可能である。そうすると、前脚部支持プレートを後脚部支持プレートの左右一方側に寄せると共に、後脚部位置決め手段を左右に移動させて前後両位置決め手段の左右間隔を前後一対の脚部の左右間隔に合わせることにより、本発明の転倒防止装置を対象物の左右両側で共用することができる。
【００１４】
第２の発明は、上記第１の発明において、上記前脚部支持プレートと上記後脚部支持プレートとは連結部材を介して連結され、該連結部材の該後脚部支持プレートに対する該前脚部支持プレートの取付位置を変更することにより、上記転倒防止装置の前後の長さが調整されることを特徴とする。
【００１５】
第２の発明によれば、連結部材の後脚部支持プレートに対する前脚部支持プレートの取付位置を変更することにより、転倒防止装置の前後の長さを調整することができるので、転倒防止装置の前後の長さを対象物の前後寸法に合わせることによって対象物の前後に転倒防止装置がはみ出すのを抑制することができる。したがって、見栄えがさらに向上し、足下をより安全にすることができる。
【００１６】
さらに、転倒防止装置の前後の長さ調整することで前後両脚部位置決め手段の前後間隔を調整することができる。したがって、上記のように前脚部支持プレートおよび後脚部位置決め手段を左右に移動させることで前後両脚部位置決め手段の左右間隔を調整すると共に、上記連結部材で前後両位置決め手段の前後間隔を調整することにより、前後両位置決め手段の前後左右の間隔を対象物の前後一対の脚部の前後左右の間隔に合わせることができる。よって、本発明の転倒防止装置の適用範囲が広がる。
【００１７】
第３の発明は、上記第１又は第２の発明において、上記前脚部支持プレートは、左右両端から上方に立ち上がる一対の前側縦壁部を有し、上記前脚部位置決め手段は、上記一対の前側縦壁部に前後方向に延びるようにそれぞれ形成された一対の前側長孔部と、左右方向に延びて両端部が上記一対の前側長孔部にそれぞれ挿入され、前後方向に移動可能に橋絡された前側シャフトと、上記前側シャフトに固定され、上記前脚部を収容保持する前脚部保持枠部材と、上記前側長孔部の後端寄りの上記前側縦壁部に一端が固定され、前後方向に延びて前端側に上記前側シャフトの上記端部が挿入された長孔が形成された前側弾性部材とを有し、上記後脚部支持プレートは、左右両端から上方に立ち上がる一対の後側縦壁部を有し、上記後脚部位置決め手段は、上記一対の後側縦壁部において前後方向に延びるようにそれぞれ形成された一対の後側長孔部と、左右方向に延びて両端部が上記一対の後側長孔部にそれぞれ挿入され、前後方向に移動可能に橋絡された後側シャフトと、上記後側シャフトに左右移動可能に設けられ、上記後脚部を収容保持する後脚部保持枠部材と、上記後側長孔部の前端寄りの上記後側縦壁部に一端が固定され、前後方向に延びて後端側に上記後側シャフトの端部が挿入された長孔が形成された後側弾性部材とを有する
ことを特徴とするものである。
【００１８】
第３の発明によれば、前側シャフトの左右両端部が前後方向にそれぞれ延びる左右一対の前側長孔部に挿通支持されているので、前側シャフトが前側長孔部内を前後方向に移動することができる。そして、前側シャフトが前方に移動して前側弾性部材の後端部に当接すると、前側弾性部材が延びて前側シャフトはある程度前方に移動できるものの、この前側弾性部材によって運動エネルギーが吸収されて減速し、そして停止する。したがって、この前側シャフトが貫通する前脚部保持枠部材は、前後方向に移動可能であり、かつ前側弾性部材の前端部より前方では減速しながら移動し、そして停止する。同様に、後脚部保持枠部材も、前後方向に移動可能であり、かつ後側弾性部材の後端部より後方では減速しながら移動し、そして停止する。そうすると、本発明の転倒防止装置に固定支持された対象物が地震等で揺れると、対象物はある程度前後に移動し、前方又は後方に所定距離以上移動すると緩やかに停止するため、対象物の転倒を効果的に防止することができる。
【００１９】
第４の発明は、上記第３の発明において、上記前側シャフトは、その上下寸法が上記前側長孔部の上下幅よりも小さく、上記後側シャフトは、その上下寸法が上記後側長孔部の上下幅よりも小さいことを特徴とするものである。
【００２０】
第４の発明によれば、前脚部保持枠部材を貫通する前側シャフトは、その上下寸法が前側長孔部の上下幅よりも小さいため、前側長孔部内を上下方向に移動することができる。したがって、前脚部保持枠部材も上下方向に移動することができる。同様に、後脚部保持枠部材も上下方向に移動することができる。そうすると、本発明の転倒防止装置に固定支持された状態の対象物が地震等で揺れた場合、前後両脚部支持プレートが設置面上に固定されたままで対象物がある程度上下方向に揺れることができるので、前後両脚部支持プレートが浮き上がるのを抑制することができる。したがって、対象物の転倒をより一層確実に防止することができる。
【００２１】
第５の発明は、上記第３又は第４の発明において、上記前脚部保持枠部材は、平面視で前側に開放したコ字状をなしており、前後方向に延びて左右方向に互いに対向し、かつ上記前側シャフトが貫通する一対の前側対向板部と、該一対の前側対向板部の後端同士を連結する前側連結板部とを有し、上記前脚部が収容された状態で該前脚部の移動を規制する前側規制シャフトが着脱可能に設けられ、上記後脚部保持枠部材は、平面視で前側に開放したコ字状をなしており、前後方向に延びて左右方向に互いに対向し、かつ上記後側シャフトが貫通する一対の後側対向板部と、該一対の後側対向板部の後端同士を連結する後側連結板部とを有し、上記後脚部が収容された状態で該後脚部の移動を規制する後側規制シャフトが着脱可能に設けられていることを特徴とするものである。
【００２２】
第５の発明によれば、前脚部保持枠部材が前方に開いているので、前脚部を前脚部支持プレート前側から後方に移動させるだけで前脚部保持枠部材に収容保持することができる。一方、後脚部保持枠部材も前方に開いているので、後脚部を後脚部支持プレートに入れた後に後方に移動させるだけで後脚部保持枠部材に収容保持することができる。したがって、例えばアップライトピアノを本発明の転倒防止装置上に設置する際には、一対の転倒防止装置を設置面上に左右に並べて固定し、並べた転倒防止装置の前方にアップライトピアノを持ってきて、そのまま後方にスライド移動させるだけで前後一対のキャスタを前後両脚部保持枠部材にそれぞれ収容保持することができる。このように、対象物をジャッキ等で持ち上げずにスライド移動させるだけで簡単に設置することができる。
【発明の効果】
【００２３】
本発明によれば、前脚部支持プレートが後脚部支持プレートよりも幅狭であるため、例えばアップライトピアノを固定支持する場合、前脚部支持プレートを妻土台と略同一幅か幅狭にすることにより、前脚部支持プレートを妻土台で隠すことができる。したがって、見栄えが向上し、足下を安全にすることができる。さらに、前脚部支持プレートが左右移動可能であると共に、後脚部位置決め手段が左右移動可能である。そうすると、前脚部支持プレートを後脚部支持プレートの左右一方側に寄せると共に、後脚部位置決め手段を左右に移動させて前後両位置決め手段の左右間隔を前後一対の脚部の左右間隔に合わせることにより、本発明の転倒防止装置を対象物の左右両側で共用することができる。
【図面の簡単な説明】
【００２４】
【図１】本発明の実施形態に係る転倒防止装置の全体斜視図である。
【図２】本発明の実施形態に係る転倒防止装置の平面図である。
【図３】本発明の実施形態に係る転倒防止装置を示す図であって、（ａ）は正面図であり、（ｂ）は背面図である。
【図４】図２の矢印IV方向から見た転倒防止装置の側面図である。
【図５】図４の一部拡大図であって、（ａ）はＡ部拡大図であり、（ｂ）はＢ部拡大図である。
【図６】本発明の実施形態に係る転倒防止装置の底面図である。
【図７】設置面上に固定された左右一対の転倒防止装置にアップライトピアノを設置する方法を説明するための平面図である。
【発明を実施するための形態】
【００２５】
以下、本発明の実施形態を図面に基づいて詳細に説明する。尚、以下の好ましい実施形態の説明は、本質的に例示に過ぎず、本発明、その適用物或いはその用途を制限することを意図するものではない。以下の実施形態では、本発明に係る転倒防止装置をアップライトピアノの転倒を防止するための転倒防止装置に適用したものについて説明する。
【００２６】
図１は、本発明の実施形態に係る転倒防止装置１の全体斜視図である。この転倒防止装置１は水平な設置面３上に左右一対並べた状態でアップライトピアノ（対象物）５を固定支持するためのものである。アップライトピアノ５は、弦やアクション、ハンマーレール（いずれも図示せず）等が格納された直方体状のピアノ本体７及びピアノ本体７前面の下端部左右両端から前方に突設された一対の妻土台９等を備えている。各妻土台９下面の前端部には前キャスタ（前脚部）１１が設けられている一方、ピアノ本体７底面の後側左右両端部には一対の後キャスタ（後脚部）１３（図２，３参照）がそれぞれ設けられている。そうして、左右一対の前キャスタ１１の左右間隔は、左右一対の後キャスタ１３の左右間隔よりも狭い。すなわち、アップライトピアノ５の下部左右両端部のそれぞれには前後一対のキャスタ１１，１３が設けられており、この前後一対のキャスタ１１，１３は左右に互いにずれている。
【００２７】
（転倒防止装置の構成）
次に、上記アップライトピアノ５を固定支持する転倒防止装置１について図２〜図６を参照して説明する。ここでは、アップライトピアノ５の下部右側（ピアノ正面から見て左側）に配置される右側用の転倒防止装置１について説明する。図２〜図６は転倒防止装置１を示す図であって、図２は平面図、図３（ａ）は正面図、図３（ｂ）は背面図、図４は図２の矢印IV方向から見た側面図、図５（ａ）は図４のＡ部拡大図、図５（ｂ）は図４のＢ部拡大図、図６は底面図である。尚、図２〜図５では、アップライトピアノ５を仮想線で示している。転倒防止装置１は、前後３つの部分で構成され、前キャスタ１１を固定支持する前キャスタ支持プレート（前脚部支持プレート）１５と、前キャスタ支持プレート１５の後端部に連結され、後キャスタ１３を固定支持する後キャスタ支持プレート（後脚部支持プレート）１７と、前キャスタ支持プレート１５と後キャスタ支持プレート１７との間に配置され、両者を連結する連結プレート（連結部材）１９とを備えている。
【００２８】
前キャスタ支持プレート１５は、一枚の矩形鋼板を曲げ加工したものであり、前後方向に長く、左右幅が上記後キャスタ支持プレート１７よりも幅狭である。この前キャスタ支持プレート１５は、前側底壁部２１を有し、この前側底壁部２１の左右両端から一対の前側縦壁部２３がそれぞれ上方に延出し、各前側縦壁部２３の前後方向中央部から前端部に亘って細長い前側長孔部２５（図４参照）が形成されている。左右一対の前側縦壁部２３の間には左右方向に延びる断面円形状の前側可動シャフト（前側シャフト）２７が配置され、その左右両端部が左右両側の前側長孔部２５にそれぞれ挿入され、前後方向に移動可能に橋絡されている。この前側可動シャフト２７は、その径が前側長孔部２５の上下幅よりも小さいものである。この前側可動シャフト２７には前キャスタ１１を収容保持する前キャスタ保持枠部材（前脚部保持枠部材）２９が固定されている。また、左右一対の前側縦壁部２３の前側長孔部２５後側には、左右方向に延びて両端部が左右両側の前側側壁部２３にそれぞれ固定された前側固定シャフト３１が設けられている。この前側固定シャフト３１の左右両端部には、環状ゴム製の前側ダンパ（前側弾性部材）３３の後端部がそれぞれ固定されている。この前側ダンパ３３には、上記前側長孔部２５中途部まで前後方向に延び、前端側に前側可動シャフト２７が挿入された長孔３３ａが形成されている。この長孔３３ａは前側固定シャフト３１近傍から前側長孔部２５中央部まで延びていて、左右方向から見て前側長孔部２５と一部重なっている。さらに、各前側縦壁部２３後端部には、前後に並ぶ一対の調整孔３５がそれぞれ設けられている。尚、各前側縦壁部２３上端部は、前側底板部２１側に折り曲げられている。また、前キャスタ支持プレート１５前端部に図示しないカバー部材が設けられてもよい。
【００２９】
前キャスタ保持枠部材２９は、前方に開口する平面視コ字状の鋼板で構成され、前後方向に延び、左右方向に離間して互いに対向する一対の前側対向板部３７と、前側対向板部３７の後端同士を連結する前側連結板部３９と、左右一対の前側対向板部３７に着脱可能に設けられた前側規制シャフト４１とを有している。各前側対向板部３７は、図４，５（ａ）に示すように、上半部分が下半部分よりも前方に突出する形状をなしており、上半部分前端部及び下半部分中央部に左右方向に貫通する貫通孔４３，４５がそれぞれ形成されている。図５（ａ）において、前キャスタ保持枠部材２９を拡大図示しており、前側可動シャフト２７左端部に取り付けられたスペーサや前側規制シャフト４１を仮想線で示している。下半部分の貫通孔４５には、上記前側可動シャフト２７が貫通している。したがって、前側可動シャフト２７が前側長孔部２５内を前後方向に移動することができ、それによって前キャスタ保持枠部材２９も前後方向に移動することができる。そして、前側可動シャフト２７が前方に移動して前側ダンパ３３前端部に当接すると、前側ダンパ３３が延び、前側可動シャフト２７はある程度前方に移動できるものの、前側ダンパ３３によって運動エネルギーが吸収されるため減速し、そして停止する。したがって、前キャスタ保持枠部材２９は、前後方向に移動することができると共に、前側ダンパ３３前端部より前方では減速しながら移動し、そして停止する。このように、前側長孔部２５、前側可動シャフト２７、前キャスタ保持枠部材２９及び前側ダンパ３３は、前キャスタ１１の位置決めをすると共に、前キャスタ１１が前側ダンパ３３前端部から前方の移動を規制する前キャスタ位置決め手段（前脚部位置決め手段）を構成している。一方、上記上半部分の貫通孔４３には、上記前側規制シャフト４１が着脱可能に嵌挿されて両前側対向板部３７同士を連結し、一対の前側対向板部３７および前側連結板部３９で囲まれた空間に前キャスタ１１が収容された状態で前キャスタ１１の移動を規制する。尚、前キャスタ保持枠部材２９は前キャスタ１１のサイズや種類に応じて適宜交換可能である。
【００３０】
後キャスタ支持プレート１７は、一枚の矩形鋼板を曲げ加工したものであり、平面視で前後方向に長い矩形状をなしている。後キャスタ支持プレート１７は、後側底壁部４７を有し、この後側底壁部４７の左右両端から一対の後側縦壁部４９がそれぞれ上方に延出し、図４に示すように、各後側縦壁部４９の前後方向中央部から後端部に亘って細長い後側長孔部５１が形成されている。左右一対の後側縦壁部４９の間には左右方向に延びる断面円形状の後側可動シャフト（後側シャフト）５３が配置され、その左右両端部が左右両側の後側長孔部５１にそれぞれ挿入され、前後方向に移動可能に橋絡されている。この後側可動シャフト５３は、その径が後側長孔部５１の上下幅よりも小さいものである。この後側可動シャフト５３が後キャスタ１３を収容保持する後キャスタ保持枠部材（後脚部保持枠部材）５５が貫通していて、この後キャスタ保持枠部材５５が左右移動可能になっている。また、左側の後側縦壁部４９の後側長孔部５１前側には、図５に示すように、後側底壁部４７左端から上方に延びる側面視略矩形状の切欠部５７が形成されている。さらに、左右一対の後側縦壁部４９には、切欠部５７と後側長孔部５１との間において左右方向に互いに接近するように延びる一対の後側固定シャフト５９が設けられている。各後側固定シャフト５９には、環状ゴム製の後側ダンパ（後側弾性部材）６１の前端部が固定されている。この後側ダンパ６１は、上記後側長孔部１５中途部まで前後方向に延び、後端側に後側可動シャフト５３が挿入された長孔６１ａが形成されている。この長孔６１ａは後側固定シャフト５９近傍から後側長孔部５１中央部まで延びていて、左右方向から見て後側長孔部５１と一部重なっている。尚、各後側縦壁部４９上端部は、後側底板部４７側に折り曲げられている。
【００３１】
後キャスタ保持枠部材５５は、前方に開口する平面視コ字状の鋼板で構成され、前後方向に延び、上記後キャスタ支持プレート１７の幅よりも狭い間隔で左右方向に離間して互いに対向する一対の後側対向板部６３と、後側対向板部６３の後端同士を連結する後側連結板部６５と、左右一対の後側対向板部６１に着脱可能に設けられた後側規制シャフト６７とを有している。各後側対向板部６３は、図４、図５（ｂ）に示すように、上半部分が下半部分よりも前方に突出する形状をなしており、上半部分前端部及び下半部分中央部に左右方向に貫通する貫通孔６９，７１がそれぞれ形成されている。図５（ｂ）において、後キャスタ保持枠部材５５を拡大図示しており、後側可動シャフト５３左端部に取り付けられたスペーサや後側規制シャフト６７を仮想線で示している。下半部分の貫通孔７１には、上記後側可動シャフト５３が貫通している。したがって、後側可動シャフト５３が後側長孔部５１内を前後方向に移動することができ、それによって後キャスタ保持枠部材５５も前後方向に移動することができる。そして、後側可動シャフト５３が後方に移動して後側ダンパ６１後端部に当接すると、後側ダンパ６１が延び、後側可動シャフト５３はある程度後方に移動できるものの、後側ダンパ６１によって運動エネルギーが吸収されるため減速し、そして停止する。したがって、後キャスタ保持枠部材５５は、前後方向に移動することができると共に、後側ダンパ６１後端部より後方では減速しながら移動し、そして停止する。このように、後側長孔部５１、後側可動シャフト５３、前キャスタ保持枠部材５５及び後側ダンパ６１は、後キャスタ１３の位置決めをすると共に、後キャスタ１３が後側ダンパ６１後端部から後方の移動を規制する後キャスタ位置決め手段（後脚部位置決め手段）を構成している。一方、上記上半分の貫通孔６９には、上記後側規制シャフト６７が着脱可能に嵌挿されて両後側対向板部６３同士を連結し、一対の後側対向板部６３と後側連結板部６５とで囲まれた空間に後キャスタ１３が収容された状態で後キャスタ１３の移動を規制する。尚、後キャスタ保持枠部材５５は、後キャスタ１３の種類やサイズに応じて適宜交換可能である。
【００３２】
連結プレート１９は、一枚の鋼板を曲げ加工したものであり、前端部が前側底壁部２１後端部に載置されている一方、後端部が後側底壁部４７前端部に載置されている。連結プレート１９は、一辺が前キャスタ支持プレート１５の幅と略同一の正方形状の連結プレート底壁部７３を有し、この連結プレート底壁部７３の左右両端から一対の連結プレート側壁部７５が上方にそれぞれ延出している。そして、各連結プレート側壁部７５前端部はそれぞれ前側側壁部２３内側に配置され、上記調整孔３５と同じ高さ位置にボルト締結孔が設けられている。また、右側の連結プレート側壁部７５後端部が右側の後側側壁部４９にボルト締結されている一方、左側の連結プレート側壁部７５後端部が左側の後側側壁部４９の切欠部５７前側部分に左右に延びるロッド７７によって連結されている。そうして、ボルト締結孔を前側又は後側の調整孔３５に合わせてボルトナット７９で締結することにより、転倒防止装置１の前後の長さが調整される。尚、連結プレート１９を右側に寄せて右側の連結プレート側壁部７５と右側の後側側壁部４９とをロッド７７で連結することにより、左側用の転倒防止装置１（ピアノ正面から見て右側の転倒防止装置１）にすることができる。
【００３３】
（アップライトピアノの設置方法）
次に、アップライトピアノ５を設置面３上に設置する方法について説明する。図７は、設置面３上に固定された左右一対の転倒防止装置１上にアップライトピアノ５を設置する方法を説明するための平面図である。図７では、アップライトピアノ５を仮想線で示し、また、前後キャスタ１１，１３を円で模式的に示している。まず、左側用及び右側用の転倒防止装置１と４枚のシート状の制振材８１とを用意する。尚、前キャスタ支持プレート１５は、アップライトピアノ５の妻土台９と略同一幅のものを用いている。また、前後両キャスタ保持枠部材２９，５５の各規制シャフト４１，６７は前後両キャスタ保持枠部材２９，５５から外しておく。さらに、制振材８１は、粘着性及び剥離性を有するゲル状物質であって、振動吸収可能なものである。この制振材８１を、各転倒防止装置１の前後両キャスタ支持プレート１５，１７の各裏面に貼り付ける。この制振材８１は、例えば前後キャスタ保持枠部材２９，５５に対応する位置に貼り付けるとよい。次に、前後一対の調整孔３５のうち前側の調整孔３５で前キャスタ支持プレート１５と連結プレート１９とを連結して転倒防止装置１の前後の長さをアップライトピアノ５の前後寸法に合わせ、そして左右両側の転倒防止装置１を設置面３上に固定する。続いて、アップライトピアノ５を一対の転倒防止装置１の左前方（図７で左側）に配置する。そして、アップライトピアノ５を、後キャスタ１３が切欠部５７の左側に来るまで後方に移動させ、続いて前キャスタ１１が各前キャスタ支持プレート１５前側に来るまで右側に移動させる。このとき、後キャスタ１３は、切欠部５７から後キャスタ支持プレート１７内に入る。次に、アップライトピアノ５を後方に移動させて前後両キャスタ１１，１３をキャスタ保持枠部材２９，５５に収容する。最後に、前後両キャスタ保持枠部材２９，５５に規制シャフト４１，６７を取り付けてアップライトピアノ５を一対の転倒防止装置１に固定支持する。
【００３４】
このように、各キャスタ保持枠部材２９，５５が前方に開いているので、アップライトピアノ５を転倒防止装置１に設置する際に、相当の重量を有するアップライトピアノ５を、上記のように設置面３上及び前後両キャスタ支持プレート１５，１７上を移動させるだけで前後キャスタ１１，１３を前後キャスタ保持枠部材２９，５５に収容保持することができる。したがって、アップライトピアノ５の設置作業が簡単である。
【００３５】
また、前キャスタ支持プレート１５が後キャスタ支持プレート１７よりも幅狭であるため、前キャスタ支持プレート１５を妻土台９と略同一幅にすることにより、前キャスタ支持プレート１５を妻土台９で隠すことができる。したがって、見栄えが向上し、足下が安全である。さらに、前キャスタ支持プレート１５を左右に動かすことができると共に、後キャスタ保持枠部材５５を後側可動シャフト５３に沿って左右に動かすことができる。そうすると、前キャスタ支持プレート１５を後キャスタ支持プレート１７の左右一方側に寄せると共に、後キャスタ保持枠部材５５を左右に移動させて前後両キャスタ保持枠部材２９，５５の左右間隔を前後一対のキャスタ１１，１３の左右間隔に合わせることで、本実施形態の転倒防止装置１をアップライトピアノ５の左右両側で共用することができる。
【００３６】
また、連結プレート１９の後キャスタ支持プレート１７に対する前キャスタ支持プレート１５の取付位置を変更することにより、転倒防止装置１の前後の長さを調整することができるので、転倒防止装置１の前後の長さをアップライトピアノ５の前後寸法に合わせることによってアップライトピアノ５の前後に転倒防止装置１がはみ出すのを抑制することができる。したがって、見栄えがさらに向上し、足下をより安全にすることができる。さらに、連結プレート１９の上記取付位置を変更することにより、両キャスタ保持枠部材２９，５５の前後間隔を調整することができる。したがって、上記のように前キャスタ支持プレート１５を左右に移動させることで両キャスタ保持枠部材２９，５５の左右間隔を調整すると共に、連結プレート１９の上記取付位置を変更することで両キャスタ保持枠部材２９，５５の前後間隔を調整することにより、両キャスタ保持枠部材２９，５５の前後左右の間隔を前後一対のキャスタ１１，１３の前後左右の間隔に合わせることができる。よって、転倒防止装置１を様々な種類のアップライトピアノ５に適用することができる。
【００３７】
また、前キャスタ保持枠部材２９は、前後方向に移動可能であると共に、前側ダンパ３３前端部より前方では減速しながら移動し、そして停止する。同様に、後キャスタ保持枠部材５５も、前後方向に移動可能であると共に、後側ダンパ６１後端部より後方では減速しながら移動し、そして停止する。そうすると、転倒防止装置１に固定支持されたアップライトピアノ５が地震等で揺れると、アップライトピアノ５はある程度前後に移動し、前方又は後方に所定距離以上移動すると緩やかに停止するため、アップライトピアノ５の転倒を効果的に防止することができる。
【００３８】
さらに、仮に前側ダンパ３３が切れたとしても、前側長孔部２５が前側ダンパ３３より前側まで延びているため、前側可動シャフト２７は前側長孔部２５前端で停止することができる。したがって、前キャスタ保持枠部材２９をより確実に停止させることができる。同様に、仮に前側ダンパ６１が切れたとしても、後キャスタ保持枠部材５５の後方移動をより確実に停止することができる。よって、アップライトピアノ５の転倒をより確実に防止することができる。
【００３９】
さらにまた、前キャスタ保持枠部材２９を貫通する前側可動シャフト２７は、その径が前側長孔部２５の上下幅よりも小さいため、前側長孔部２５内を上下方向に移動することができる。したがって、前キャスタ保持枠部材２９は上下方向にある程度移動できる。同様に、後キャスタ保持枠部材５５も上下方向にある程度移動することができる。そうすると、地震等で転倒防止装置１に固定支持された状態のアップライトピアノ５が揺れた場合、前後両キャスタ支持プレート１５，１７が設置面３上に固定されたままでアップライトピアノ５がある程度上下方向に揺れることができるので、前後両キャスタ支持プレート１５，１７が浮き上がるのを抑制することができる。したがって、アップライトピアノ５の転倒をより一層確実に防止することができる。
【００４０】
（その他の実施形態）
上記実施形態では、対象物がアップライトピアノ５であったが、これに限定されず、下部左右両端部にぞれぞれ前後一対の脚部が配置されたものであればよい。
【００４１】
また、上記実施形態では、調整孔３５は前後に並ぶ一対の円形孔であったが、これに限定されず、例えば前後に延びる長孔でもよい。長孔の場合、転倒防止装置１の前後の長さを連続的に調整することができる。
【００４２】
また、上記実施形態では、切欠部５７が左側の後側側壁部４９のみに形成されていたが、これに限定されず、右側の後側側壁部４９のみに形成されていてもよく、または、左右両側の後側側壁部４９にそれぞれ形成されていてもよい。
【産業上の利用可能性】
【００４３】
以上説明したように、本発明に係る転倒防止装置は、対象物を固定支持した状態で見栄えが良くかつ安全であり、しかも対象物の左右両側で共用可能な用途等に適用することができる。
【符号の説明】
【００４４】
１      転倒防止装置
３      設置面
５      アップライトピアノ（対象物）
１１    前キャスタ（前脚部）
１３    後キャスタ（後脚部）
１５    前キャスタ支持プレート（前脚部支持プレート）
１７    後キャスタ支持プレート（後脚部支持プレート）
１９    連結プレート（連結部材）
２３    前側縦壁部
２５    前側長孔部（前脚部位置決め手段）
２７    前側可動シャフト（前側シャフト、前脚部位置決め手段）
２９    前キャスタ保持枠部材（前脚部保持枠部材、前脚部位置決め手段）
３３    前側ダンパ（前側弾性部材、前脚部位置決め手段）
３７    前側対向板部
３９    前側連結板部
４１    前側規制シャフト
４９    後側縦壁部
５１    後側長孔部（後脚部位置決め手段）
５３    後側可動シャフト（後側シャフト、後脚部位置決め手段）
５５    後キャスタ保持枠部材（後脚部保持枠部材、後脚部位置決め手段）
６１    後側ダンパ（後側弾性部材、後脚部位置決め手段）
６３    後側対向板部
６５    後側連結板部
６７    後側規制シャフト
【図１】
0005858822.tif 000002
【図２】
0005858822.tif 000003
【図３】
0005858822.tif 000004
【図４】
0005858822.tif 000005
【図５】
0005858822.tif 000006
【図６】
0005858822.tif 000007
【図７】
0005858822.tif 000008